(57)【要約】  本発明の一実施例によるバッテリーパックは、少なくとも一つのバッテリーモジュールと、少なくとも一つのバッテリーモジュールをパッケージングし、バッテリーパックの両側方及び後方のみで露出するスペース溝を備えるパックケースと、を含むことを特徴とする。
2019512844.tif 000002
【特許請求の範囲】
【請求項１】
バッテリーパックであって、
少なくとも一つのバッテリーモジュールと、
前記少なくとも一つのバッテリーモジュールをパッケージングし、前記バッテリーパックの両側方及び後方のみで露出するスペース溝を備えるパックケースと、を含むことを特徴とするバッテリーパック。
【請求項２】
前記パックケースは、
前記少なくとも一つのバッテリーモジュールを支持するケースベースと、
前記ケースベースと結合し、前記少なくとも一つのバッテリーモジュールを収容するケース本体と、
前記ケース本体と結合し、前記スペース溝を形成するケースカバーと、を含むことを特徴とする請求項１に記載のバッテリーパック。
【請求項３】
前記ケースベースは、
前記少なくとも一つのバッテリーモジュールが装着されるベースマウントと、
前記ベースマウントの両側に備えられ、前記ベースマウントと段差をなすように形成される排水口と、を含むことを特徴とする請求項２に記載のバッテリーパック。
【請求項４】
前記ベースマウントの上面は、前記排水口に進むほど下方へ傾くことを特徴とする請求項３に記載のバッテリーパック。
【請求項５】
前記排水口に装着される少なくとも一つのメッシュユニットを含むことを特徴とする請求項３に記載のバッテリーパック。
【請求項６】
前記ケース本体は、
前記少なくとも一つのバッテリーモジュールを固定する第１内側ケースと、
前記第１内側ケースを囲み、前記少なくとも一つのバッテリーモジュールを収容するための収容空間を形成する外側ケースと、
前記外側ケースの上側に装着され、前記ケースカバーと結合する第２内側ケースと、を含み、
前記外側ケースは、
前記少なくとも一つのバッテリーモジュールの上下方向に沿って前記第１内側ケースにスライド装着されることを特徴とする請求項２に記載のバッテリーパック。
【請求項７】
前記外側ケースは、一体で押出成形されることを特徴とする請求項６に記載のバッテリーパック。
【請求項８】
前記外側ケースの外面には、少なくとも一つの放熱ビードが形成されることを特徴とする請求項６に記載のバッテリーパック。
【請求項９】
前記ケースカバーの両側面には、前記ケース本体との結合時、前記スペース溝を形成する取っ手が設けられることを特徴とする請求項２に記載のバッテリーパック。
【請求項１０】
前記取っ手の一端部が、前記ケースカバーの前面から前記ケースカバーの後方へ所定距離に離隔し、
前記取っ手の他端部が、
前記ケースカバーの後面に配置されることを特徴とする請求項９に記載のバッテリーパック。
【請求項１１】
前記取っ手が、前記ケースカバーに一体で形成されることを特徴とする請求項９に記載のバッテリーパック。
【請求項１２】
前記パックケースと分離可能に装着され、前記バッテリーパックを外部構造物に装着するためのマウントブラケットをさらに含むことを特徴とする請求項２に記載のバッテリーパック。
【請求項１３】
前記マウントブラケットは、
前記パックケースに装着され、前記スペース溝内に配置されるパック装着部と、
前記パック装着部から折り曲げられ、前記外部構造物に装着される構造物装着部と、を含むことを特徴とする請求項１に記載のバッテリーパック。
【請求項１４】
前記マウントブラケットは、前記バッテリーパックの前方で前記ケースカバーの前面によって遮られることを特徴とする請求項１２に記載のバッテリーパック。
【請求項１５】
前記バッテリーパックは、家庭用エネルギー貯蔵装置であることを特徴とする請求項１に記載のバッテリーパック。
【発明の詳細な説明】
【技術分野】
【０００１】
本発明は、バッテリーパックに関する。
【０００２】
本出願は、２０１６年１０月２１日出願の韓国特許出願第１０−２０１６−０１３７７６１号に基づく優先権を主張し、該当出願の明細書及び図面に開示された内容は、すべて本出願に援用される。
【背景技術】
【０００３】
多様な製品への適用が容易であり、高いエネルギー密度などの電気的特性を有する二次電池は、携帯用器機のみならず電気的駆動源によって駆動する電気自動車（Ｅｌｅｃｔｒｉｃ  Ｖｅｈｉｃｌｅ，ＥＶ）またはハイブリッド自動車（Ｈｙｂｒｉｄ  Ｅｌｅｃｔｒｉｃ  Ｖｅｈｉｃｌｅ，ＨＥＶ）などに普遍的に応用されている。このような二次電池は、化石燃料の使用を画期的に減少させることができるという一次的な長所だけでなく、エネルギーの使用に伴う副産物が一切発生しないという点で環境に優しく、エネルギー効率性の向上のための新しいエネルギー源として注目されている。
【０００４】
現在、広く使用される二次電池の種類としては、リチウムイオン電池、リチウムポリマー電池、ニッケルカドミウム電池、ニッケル水素電池、ニッケル亜鉛電池などがある。このような単位二次電池セル、即ち、単位バッテリーセルの作動電圧は約２．５Ｖ〜４．２Ｖである。したがって、これよりさらに高い出力電圧が要求される場合、複数の二次電池セルを直列接続してバッテリーパックを構成する。また、バッテリーモパックに要求される充放電容量によって複数の二次電池セルを並列接続してバッテリーパックを構成し得る。したがって、前記バッテリーパックに含まれるバッテリーセルの個数は、要求される出力電圧または充放電容量によって多様に設定することができる。
【０００５】
一方、複数の二次電池セルを直列・並列接続してバッテリーパックを構成する場合、少なくとも一つのバッテリーセルからなるバッテリーモジュールを先に構成し、このような少なくとも一つのバッテリーモジュールを用いてその他の構成要素を追加してバッテリーパックを構成する方法が通常である。
【０００６】
このような従来のバッテリーパックの場合、家庭用エネルギー貯蔵装置として用いられる場合、自動車などの車両に装着される場合よりも使用者などにより直接的に露出し得、家庭ごとに多様な場所に設置され得ることから、構造物などへの設置時、車両などよりも設置の容易性がさらに要求される。また、家庭用エネルギー貯蔵装置として用いられる場合、必要に応じて後に設置位置も変更される可能性があるため、バッテリーパックの運搬時における容易性も適切に考えるべきである。また、従来のバッテリーパックが家庭用エネルギー貯蔵装置として用いられる場合、車両などに装着される場合よりも外部への露出可能性がさらに高いため、デザイン的な面で審美感も重要な要素となる。
【０００７】
そこで、運搬及び設置が容易になるとともに、デザイン的な面で審美感を確保することができるバッテリーパックが求められる。
【発明の概要】
【発明が解決しようとする課題】
【０００８】
そこで、本発明は、運搬及び設置が容易になるとともに、デザイ的な面で審美感を確保することができるバッテリーパックを提供することを目的とする。
【課題を解決するための手段】
【０００９】
上記の課題を達成するため、本発明は、バッテリーパックであって、少なくとも一つのバッテリーモジュールと、前記少なくとも一つのバッテリーモジュールをパッケージングし、前記バッテリーパックの両側方及び後方のみで露出するスペース溝を備えるパックケースと、を含むことを特徴とするバッテリーパックを提供する。
【００１０】
前記パックケースは、前記少なくとも一つのバッテリーモジュールを支持するケースベースと、前記ケースベースと結合し、前記少なくとも一つのバッテリーモジュールを収容するケース本体と、前記ケース本体と結合し、前記スペース溝を形成するケースカバーと、を含み得る。
【００１１】
前記ケースベースは、前記少なくとも一つのバッテリーモジュールが装着されるベースマウントと、前記ベースマウントの両側に備えられ、前記ベースマウントと段差をなすように形成される排水口と、を含み得る。
【００１２】
前記ベースマウントの上面は、前記排水口に進むほど下方へ傾き得る。
【００１３】
前記バッテリーパックは、前記排水口に装着される少なくとも一つのメッシュユニットを含み得る。
【００１４】
前記ケース本体は、前記少なくとも一つのバッテリーモジュールを固定する第１内側ケースと、前記内側ケースを囲み、前記少なくとも一つのバッテリーモジュールを収容するための収容空間を形成する外側ケースと、前記外側ケースの上側に装着され、前記ケースカバーと結合する第２内側ケースと、を含み、前記外側ケースは、前記少なくとも一つのバッテリーモジュールの上下方向に沿って前記第１内側ケースにスライド装着され得る。
【００１５】
前記外側ケースは、一体で押出成形され得る。
【００１６】
前記外側ケースの外面には、少なくとも一つの放熱ビードが形成され得る。
【００１７】
前記ケースカバーの両側面には、前記ケース本体との結合時、前記スペース溝を形成する取っ手が設けられ得る。
【００１８】
前記取っ手の一端部は、前記ケースカバーの前面から前記ケースカバーの後方へ所定距離に離隔し、前記取っ手の他端部は、前記ケースカバーの後面に配置され得る。
【００１９】
前記取っ手は、前記ケースカバーに一体で形成され得る。
【００２０】
前記バッテリーパックは、前記パックケースと分離可能に装着され、前記バッテリーパックを外部構造物に装着するためのマウントブラケットをさらに含み得る。
【００２１】
前記マウントブラケットは、前記パックケースに装着され、前記スペース溝内に配置されるパック装着部と、前記パック装着部から折り曲げられ、前記外部構造物に装着される構造物装着部と、を含み得る。
【００２２】
前記マウントブラケットは、前記バッテリーパックの前方で前記ケースカバーの前面によって遮られ得る。
【００２３】
前記バッテリーパックは、家庭用エネルギー貯蔵装置であり得る。
【発明の効果】
【００２４】
以上のような多様な実施例により、運搬及び設置が容易になるとともに、デザイン的な面で審美感が確保できるバッテリーパックを提供することができる。
【００２５】
本明細書に添付される次の図面は、本発明の望ましい実施例を例示するものであり、発明の詳細な説明とともに本発明の技術的な思想をさらに理解させる役割をするため、本発明は図面に記載された事項だけに限定されて解釈されてはならない。
【図面の簡単な説明】
【００２６】
【図１】本発明の一実施例によるバッテリーパックを説明するための図である。
【図２】図１におけるバッテリーパックの分解斜視図である。
【図３】図２におけるバッテリーパックのパックケースのケースベースの斜視図である。
【図４】図３におけるケースベースに装着されるメッシュユニットを説明するための図である。
【図５】図３におけるケースベースの断面図である。
【図６】図１におけるバッテリーパックの下側断面図である。
【図７】図１におけるバッテリーパックの正面図である。
【図８】図１におけるバッテリーパックの側面図である。
【図９】図１におけるバッテリーパックの運搬を説明するための図である。
【図１０】図１におけるバッテリーパックの運搬を説明するための図である。
【図１１】図１におけるバッテリーパックのマウントブラケットの装着を説明するための図である。
【図１２】図１におけるバッテリーパックのマウントブラケットの装着を説明するための図である。
【図１３】図１におけるバッテリーパックのマウントブラケットの装着を説明するための図である。
【発明を実施するための形態】
【００２７】
以下、添付された図面を参照して本発明の望ましい実施例を詳しく説明する。ここで説明される実施例は、発明の理解を助けるために例示的に示したものであり、本発明は、ここで説明する実施例とは相違に多様に変形して実施できることを理解せねばならない。なお、発明の理解を助けるために、添付の図面は、実際の縮尺ではなく一部構成要素が誇張または省略されるか、概略的に示されることがある。
【００２８】
図１は、本発明の一実施例によるバッテリーパックを説明するための図であり、図２は、図１におけるバッテリーパックの分解斜視図であり、図３は、図２におけるバッテリーパックのパックケースのケースベースの斜視図であり、図４は、図３におけるケースベースに装着されるメッシュユニットを説明するための図であり、図５は、図３におけるケースベースの断面図であり、図６は、図１におけるバッテリーパックの下側断面図であり、図７は、図１におけるバッテリーパックの正面図であり、図８は、図１のバッテリーパックの側面図である。
【００２９】
図１〜図８を参照すれば、バッテリーパック１０は、エネルギー源であって、産業用または家庭用エネルギー貯蔵装置として使用でき、最近注目されている電気車またはハイブリッド車などの自動車のエネルギー源としても使用可能である。以下、本実施例においては、前記バッテリーパック１０が家庭用エネルギー貯蔵装置として使用されることに限定して説明する。
【００３０】
このようなバッテリーパック１０は、バッテリーモジュール１００、パックケース２００、ＢＭＳユニット３００、メモリースロットユニット４００、スロットカバー５００、メッシュユニット６００及び取っ手７００を含み得る。
【００３１】
少なくとも一つまたはそれ以上の複数個が備えられ得る。以下、本実施例においては、前記バッテリーモジュール１００が複数個として備えられたことに限定して説明する。このような複数個のバッテリーモジュール１００は、前記バッテリーパック１０の上下方向に沿って相互電気的に接続するように積層され得る。
【００３２】
前記複数個のバッテリーモジュール１００は、各々少なくとも一つのバッテリーセルを含んで構成され得る。前記少なくとも一つのバッテリーセルは、二次電池であり得、例えば、パウチ型二次電池であり得る。
【００３３】
前記パックケース２００は、前記少なくとも一つ、本実施例の場合、前記複数個のバッテリーモジュール１００をパッケージングする。このようなパックケース２００は、ケースベース２１０、ケース本体２３０及びケースカバー２５０を含み得る。
【００３４】
前記ケースベース２１０は、前記パックケース２００の底部を形成し、前記複数個のバッテリーモジュール１００を支持する。このような前記ケースベース２１０は、ベースマウント２１２及び排水口２１６を含み得る。
【００３５】
前記ベースマウント２１２は、前記ケースベース２１０の外観をなし、前記複数個のバッテリーモジュール１００を支持する。このために、前記ベースマウント２１２には、前記複数個のバッテリーモジュール１００のうち最下側に配置されるバッテリーモジュール１００が装着され得る。
【００３６】
このような前記ベースマウント２１２の上面は、後述の排水口２１６に近づくほど下方へ傾くように形成され得る。即ち、前記ベースマウント２１２の上面は、中央部から両端部に進むほど下方へ傾くように形成され得る。これによって、もし、前記ベースマウント２１２の上面に、水や異物などが浸透されるとしても、浸透した水分や異物などが、後述の排水口２１６側へ流れやすくなる。
【００３７】
前記排水口２１６は、前記パックケース２００の外部に連通し、前記ベースマウント２１２の両側に備えられ得る。このような前記排水口２１６は、前記パックケース２００の内部へ水が浸透する場合、浸透した水を前記パックケース２００の外部へ排出することができる。
【００３８】
前記排水口２１６は、前記ベースマウント２１２と所定の高さｈで段差をなすように、前記ベースマウント２１２の上面よりも下側に備えられ得る。もし、前記パックケース２００の上側から水が浸透した場合、前記パックケース２００の上側から浸透した水は、前記パックケース２００の内壁に沿って前記パックケース２００の下側へ流れ落ちた後、前記排水口２１６を通して前記パックケース２００の外部へ排出できる。ここで、前記排水口２１６は、前記ベースマウント２１２の上面よりも下側に備えられるため、前記パックケース２００の上側の内壁から流れ落ちる水が前記ベースマウント２１２の内面へ浸透することを防止することができる。
【００３９】
前記ケース本体２３０は、前記パックケース２００の外観の殆どを成し、前記ケースベース２１０と結合して、前記少なくとも一つ、本実施例の場合、前記複数個のバッテリーモジュール１００を収容することができる。
【００４０】
このようなケース本体２３０は、第１内側ケース２３２と、外側ケース２３４と、第２内側ケース２３６と、を含み得る。
【００４１】
前記第１内側ケース２３２は、前記少なくとも一つ、本実施例の場合、前記複数個のバッテリーモジュール１００を固定するためのものであって、前記バッテリーパック１０の上下方向に積層された複数個のバッテリーモジュール１００の四つの角において前記複数個のバッテリーモジュール１００を固定できる四つの固定支持バーを含み得る。
【００４２】
前記外側ケース２３４は、前記第１内側ケース２３２を囲み、前記少なくとも一つ、本実施例の場合、前記複数個のバッテリーモジュール１００を収容するための収容空間を形成する。
【００４３】
前記外側ケース２３４は、ほぼ六面体の形状として形成され、前記バッテリーパック１０の上下方向が開口した形状からなり得る。このような外側ケース２３４は、一体で押出成形され得る。即ち、前記外側ケース２３４は、単一部材として形成され、前記複数個のバッテリーモジュール１００の前方、後方及び両側方を全て覆い得る。しかし、これに限定されず、前記外側ケース２３４は、二つの部材を結合した形態としても設けられ得る。
【００４４】
前記外側ケース２３４は、前記複数個のバッテリーモジュール１００の上下方向に沿って前記第１内側ケース２３２にスライド装着され得る。具体的に、前記外側ケース２３４は、前記第１内側ケース２３２の前記四つの固定支持バーにスライド装着され得る。
【００４５】
このように、本実施例においては、前記外側ケース２３４が前記第１内側ケース２３２にスライド装着によって結合するため、これらの部材の結合のための追加的なボルト部材を省略するか、またはボルト部材の個数を大幅減少させることができる。
【００４６】
このような外側ケース２３４は、前記スライト装着後、前記ケースベース２１０との相互気密性の確保のために、前記ケースベース２１０と封止部材によって周縁に沿って相互封止され得る。ここで、前記封止部材は、気密性が確保可能な物質として備えられ得、例えば、ウレタンフォームであり得る。即ち、前記ケース本体２３０及び前記ケースベース２１０は、前記封止部材によって相互封止され得る。
【００４７】
前記外側ケース２３４には、放熱ビード２３５が備えられ得る。
【００４８】
前記放熱ビード２３５は、前記外側ケース２３４の外面に備えられ、前記外側ケース２３４の長手方向に沿って複数個が設けられ得る。このような前記複数個の放熱ビード２３５は、前記パックケース２００の内部発熱時、前記パックケース２００の内部の熱を効果的に前記パックケース２００の外部へ放出することができる。
【００４９】
前記第２内側ケース２３６は、前記外側ケース２３４の上側に装着され、後述のＢＭＳユニット３００を覆い得る。このような前記第２内側ケース２３６は、後述のケースカバー２５０と結合し得る。
【００５０】
このような第２内側ケース２３６は、前記外側ケース２３４との相互気密性の確保のために前記封止部材によって前記外側ケース２３４と相互封止され得る。また、前記第２内側ケース２３６は、後述のケースカバー２５０との相互気密性の確保のために、前記封止部材によって後述するケースカバー２５０と相互封止され得る。
【００５１】
このように、本実施例においては、前記第２内側ケース２３６と前記外側ケース２３４、前記第２内側ケース２３６と後述のケースカバー２５０、前記外側ケース２３４と前記ケースベース２１０が、各々、相互封止され得る。これによって、本実施例においては、前記パックケース２００の前記ケースベース２１０、前記ケース本体２３０及び後述のケースカバー２５０の間の少なくとも三箇所で前記封止部材による封止が行われるため、前記パックケース２００のより堅固な気密性の確保を図ることができる。
【００５２】
前記ケースカバー２５０は、前記パックケース２００の上側を形成し、前記ケース本体２３０と結合して前記ケース本体２３０を覆い得る。このような前記ケースカバー２５０は、前記ケース本体２３０の結合時、スペース溝Ｓを形成し得る。前記スペース溝Ｓは、前記バッテリーパック１０の両側方及び後方のみで露出する所定の空間であって、後述の取っ手７００が設けられ得る。これについては、後述の取っ手７００関連の説明時により詳しく説明する。
【００５３】
前記ＢＭＳユニット３００は、前記パックケース２００内に備えられ、前記少なくとも一つ、本実施例の場合、前記複数個のバッテリーモジュール１００を制御するためのものであって、前記複数個のバッテリーモジュール１００と電気的に接続し得る。
【００５４】
前記メモリースロットユニット４００は、前記ＢＭＳユニット３００と電気的に接続し、前記バッテリーパック１０の前記ＢＭＳユニット３００のファームウエアのアップデートのためのメモリーユニットが挿入され得る。ここで、前記メモリーユニットは、前記ファームウエアのアップデートのために使用される媒体であって、ＳＤカードであり得る。
【００５５】
このような前記メモリースロットユニット４００は、前記パックケース２００の内側で前記ＢＭＳユニット３００と前記パックケース２００との間に配置され、前記メモリーユニットの挿入時、前記パックケース２００の外に部分的に露出し得る。
【００５６】
前記スロットカバー５００は、使用者などによる前記メモリーユニットの挿入時、前記メモリースロットユニット４００を前記ケースカバー２５０の外に露出させる。このために、前記スロットカバー５００は、前記ケースカバー２５０に分離可能に装着され得る。具体的に、前記スロットカバー５００は、前記ケースカバー２３０の水平方向において回転可能に備えられ、前記回転によって前記ケースカバー２３０から分離するか、または前記ケースカバー２３０に固定され得る。
【００５７】
前記メッシュユニット６００は、前記バッテリーパック１０の防水や防塵をより確かにするためのものであって、少なくとも一つ以上が備えられ得る。以下、本実施例においては、一対で備えられ、前記排水口２１６に各々装着されることに限定して説明する。
【００５８】
このようなメッシュユニット６００は、第１メッシュフレーム６１０、第１メッシュネット６３０、第２メッシュフレーム６５０、第２メッシュネット６７０及び防塵フィルター６９０を含み得る。
【００５９】
前記第１メッシュフレーム６１０は、前記排水口２１６の上側に装着され得る。このような第１メッシュフレーム６１０は、前記排水口２１６の上側で後述の第１メッシュネット６３０を固定し得る。
【００６０】
前記第１メッシュネット６３０は、前記第１メッシュフレーム６１０に装着され、前記排水口２１６の上側に配置され得る。このような前記第１メッシュネット６３０は、網構造で設けられ、前記パックケース２００の外部から異物などが前記パックケース２００の内部へ浸透することを防止することができる。
【００６１】
前記第２メッシュフレーム６５０は、前記排水口２１６の下側に装着され得る。このような第２メッシュフレーム６５０は、前記排水口２１６の下側で後述の第２メッシュネット６７０を固定し得る。
【００６２】
前記第２メッシュネット６７０は、前記第２メッシュフレーム６５０に装着され、前記排水口２１６の下側に配置され得、前記第１メッシュネット６３０と対向配置され得る。
【００６３】
前記第２メッシュネット６７０は、前記第１メッシュネット６３０のように 網構造として設けられ、前記パックケース２００の外部から異物などが前記パックケース２００の内部へ浸透することを防止することができる。このように、本実施例による前記メッシュユニット６００は、前記第１メッシュネット６３０及び前記第２メッシュネット６７０の二重網構造によって前記異物などの前記パックケース２００の内部への浸透などをより確実に防止することができる。
【００６４】
前記第２メッシュネット６７０と前記第１メッシュネット６３０とは、より確かな防水や防塵のために相互ずれた網構造として配置され得る。即ち、前記第１メッシュネット６３０の網目は、前記バッテリーパック１０の上下方向において前記第２メッシュネット６７０の網目と相互ずれて配置され得る。
【００６５】
このような前記第１メッシュネット６３０及び前記第２メッシュネット６７０の具体的な仕様は、表１のようである。
【００６６】
【表１】
2019512844.tif 000003
【００６７】
前記表１に示したように、前記メッシュネット（前記第１メッシュネット６３０及び前記第２メッシュネット６７０）が平織（Ｐｌａｉｎ  Ｗｅａｖｅ）２０または３０として設けられ得る。
【００６８】
先ず、前記メッシュネット（前記第１メッシュネット６３０及び前記第２メッシュネット６７０）が平織２０として設けられる場合、網構造を形成するワイヤの線径は０．４５７ｍｍであり、単位網目の目開きは０．８１ｍｍであり、全体網構造に対する開口率は４１％であり得る。
【００６９】
そして、前記メッシュネット（前記第１メッシュネット６３０及び前記第２メッシュネット６７０）が平織３０のものである場合、網構造を形成するワイヤの線径は０．３５５ｍｍであり、単位網目の目開きは０．４９ｍｍであり、全体網構造に対する開口率は３３．５％であり得る。
【００７０】
そして、前記平織２０または平織３０とも、前記第１メッシュネット６３０と前記第２メッシュネット６７０との間隔が２ｍｍ以上である場合、火炎が前記パックケース２００の外部に通過できない。もし、前記バッテリーパック１０の前記パックケース２００の内部において短絡による火事の発生時、前記パックケース２００の内部で火炎と煙が発生し得る。この際、前記メッシュユニット６００を通して前記煙のみならず前記火炎が前記パックケース２００の外部へ直接通過すれば、前記パックケース２００の外へ通過した火炎によって火事が急速に拡がり得る。そのため、このような前記火炎の通過を防止できるよう、前記第１メッシュネット６３０と前記第２メッシュネット６７０とは、少なくとも２ｍｍ以上に相互離隔して配置することが望ましい。
【００７１】
前記防塵フィルター６９０は、前記異物などをろ過させるためのものであって、前記第１メッシュネット６３０と前記第２メッシュネット６７０との間に備えられ得る。このような前記防塵フィルター６９０は、少なくとも１０μｍの埃などの異物をろ過できるフィルターであり得る。
【００７２】
前記防塵フィルター６９０は、前記第１メッシュネット６３０と前記第２  メッシュネット６７０との間の空間に対応する体積を有し得る。即ち、前記防塵フィルター６９０は、前記第１メッシュネット６３０と前記第２メッシュネット６７０との間の空間を完全に満たすサイズを有し得る。これは、前記第１メッシュネット６３０と前記第２メッシュネット６７０との間の空間を通す埃などの前記異物の通過をより確実に防止するためである。
【００７３】
前記取っ手７００は、前記バッテリーパック１０の運搬時、使用者による前記バッテリーパック１０の運搬をガイドするためのものであって、前記ケースカバー２５０の両側面に設けられ得る。
【００７４】
前記取っ手７００は、前記ケース本体２３０と前記ケースカバー２５０との結合時、前記スペース溝Ｓを形成することができる。前記取っ手７００の構造をより具体的に見れば、前記取っ手７００の一端部は、前記ケースカバー２５０の前面から前記ケースカバー２５０の後方へ所定距離に離隔し、前記取っ手７００の他端部は、前記ケースカバー２５０の後面に配置され得る。
【００７５】
このような取っ手７００は、前記ケースカバー２５０に一体で形成され得る。これによって、本実施例においては、前記取っ手７００が前記パックケース２００に別に付着する構造ではなく、前記ケースカバー２５０に一体で形成される構造であることから、取っ手の製造による製造コスト及び製造時間を節減することができる。
【００７６】
以下、このような前記取っ手７００を用いた前記バッテリーパック１０の運搬についてより具体的に説明する。
【００７７】
図９及び図１０は、図１のバッテリーパックの運搬を説明するための図である。
【００７８】
図９及び図１０を参照すれば、先ず、前記バッテリーパック１０の前記取っ手７００は、前記スペース溝Ｓに配置され、前記バッテリーパック１０の両側方及び後方のみで露出するから、前記バッテリーパック７００の前面では使用者などに露出されない。即ち、前記バッテリーパック１０の前面では、突出する構造ではないため、審美的な観点で前記バッテリーパック１０の美観を阻害しない。
【００７９】
前記使用者などは、前記バッテリーパック１０を運搬するとき、前記パックケース２００の両側に設けられる前記スペース溝Ｓに手を入れて前記取っ手７００を取って前記バッテリーパック１０を移動させることができる。前記使用者などは、前記パックケース７００の両側に設けられた取っ手７００を取って前記バッテリーパック１０を運ぶことができるため、より安定的に前記バッテリーパック１０の運搬作業を行うことができる。
【００８０】
図１１〜図１３は、図１のバッテリーパックのマウントブラケットの装着を説明するための図である。
【００８１】
図１１及び図１３を参照すれば、前記バッテリーパック１０は、マウントブラケット８００をさらに含み得る。
【００８２】
前記マウントブラケット８００は、前記パックケース２００と分離可能に装着され、前記バッテリーパック１０を外部構造物Ｗに装着することができる。前記外部構造物Ｗは、例えば、家庭の壁であり得る。即ち、前記マウントブラケット８００は、前記バッテリーパック１０を壁掛けタイプで固定するときに、これをガイドすることができる。
【００８３】
このような前記マウントブラケット８００は、パック装着部８１０及び構造物装着部８３０を含み得る。
【００８４】
前記パック装着部８１０は、スクリュー部材などによって前記パックケース２００に装着され、前記スペース溝Ｓ内に配置され得る。前記構造物装着部８３０は、前記パック装着部８１０から折り曲げられ、前記スクリュー部材などによって前記外部構造物Ｗに装着され得る。
【００８５】
一方、前記パック装着部８１０及び前記構造物装着部８３０は、共に前記スペース溝Ｓ内に配置され得る。即ち、前記マウントブラケット８００は、前記パックケース２００への装着時、前記スペース溝Ｓ内に配置され得る。これによって、前記マウントブラケット８００は、前記パックケース１０と前記外部構造物Ｗへの装着時、前記バッテリーパック１０の前方で前記ケースカバー２５０の前面によって遮られ得る。したがって、前記バッテリーパック１０を前記壁掛けタイプで固定するとき、前記マウントブラケット８００は、前記バッテリーパック１０の前方で見えないため、デザイン的な面で審美感を阻害しない。
【００８６】
このように、本実施例による前記バッテリーパック１０は、前述の構造によってより気密かつ効率的な防水及び防塵構造を有することができる。また、本実施例による前記バッテリーパック１０は、前述の構造によって前記バッテリーパック１０の運搬及び設置が容易となるとともに、デザイン的な面で審美感を確保することができる。
【００８７】
以上、本発明の望ましい実施例について図示及び説明したが、本発明は上述した特定の望ましい実施例に限定されず、請求範囲で請求する本発明の要旨から外れることなく当該発明が属する技術分野における通常の知識を持つ者であれば、だれでも多様に変形できることは言うまでもなく、かかる変形は請求範囲内に含まれる。
【符号の説明】
【００８８】
１０  バッテリーパック
１００  バッテリーモジュール
２００  パックケース
２１０  ケースベース
２１２  ベースマウント
２１６  排水口
２３０  ケース本体
２３２  第１内側ケース
２３４  外側ケース
２３５  放熱ビード
２３６  第２内側ケース
２５０  ケースカバー
３００  ユニット
４００  メモリースロットユニット
５００  スロットカバー
６００  メッシュユニット
６１０  第１メッシュフレーム
６３０  第１メッシュネット
６５０  第２メッシュフレーム
６７０  第２メッシュネット
６９０  防塵フィルター
７００  取っ手
８００  マウントブラケット
８１０  パック装着部
８３０  構造物装着部
【図１】
2019512844.tif 000004
【図２】
2019512844.tif 000005
【図３】
2019512844.tif 000006
【図４】
2019512844.tif 000007
【図５】
2019512844.tif 000008
【図６】
2019512844.tif 000009
【図７】
2019512844.tif 000010
【図８】
2019512844.tif 000011
【図９】
2019512844.tif 000012
【図１０】
2019512844.tif 000013
【図１１】
2019512844.tif 000014
【図１２】
2019512844.tif 000015
【図１３】
2019512844.tif 000016
【国際調査報告】
2019512844.tif 000017
2019512844.tif 000018
2019512844.tif 000019
2019512844.tif 000020